【手続補正書】
【提出日】平成18年5月24日(2006.5.24)
【手続補正１】
【補正対象書類名】明細書
【補正対象項目名】特許請求の範囲
【補正方法】変更
【補正の内容】
【特許請求の範囲】
【請求項１】
被写体の分光反射率に対応した観察照明光の下での三刺激値を算出する三刺激値算出手段と、
前記三刺激値に基づいて出力カラー画像信号を算出するカラー画像信号算出手段と、
前記出力カラー画像信号を受けてカラー画像を出力するカラー画像出力手段とを備える色再現システムにおいて、
前記三刺激値算出手段は、複数の単位色票からなる色票の色票分光反射率データと、該色票を観察照明光の下で入力装置により撮影して得られた色票撮影データと、該入力装置の分光感度データと、等色関数データとを用いて、前記三刺激値を算出することを特徴とする色再現システム。
【請求項２】
撮影照明光の下で被写体を撮影する撮影手段と、
前記撮影手段の分光感度データと前記撮影照明光のスペクトルデータと前記被写体の分光反射率の統計データとに基づいて前記撮影手段によって撮影された被写体の画像の各画素に対応した分光反射率を算出し、前記分光反射率の分布に対応した分光反射率画像データを出力する分光反射率算出手段と、
観察照明光の下で色票を撮影する入力装置と、
前記分光反射率画像データと、前記入力装置により撮影された前記色票の色票撮影データと、前記入力装置の分光感度データと、前記色票の分光反射率分布を示す色票分光反射率データと、等色関数データとに基づいて、前記観察照明光の下での前記被写体の三刺激値を算出する三刺激値算出手段と、
前記三刺激値に基づいて出力カラー画像信号を算出するカラー画像信号算出手段と、
前記出力カラー画像信号を受けてカラー画像を出力するカラー画像出力手段と、
を備えることを特徴とする色再現システム。
【請求項３】
撮影照明光の下で被写体を撮影する撮影手段と、
前記撮影手段の分光感度データと前記撮影照明光のスペクトルデータと前記被写体の分光反射率の統計データとに基づいて前記被写体の分光反射率を基底関数の線形和として表した展開係数データを出力する分光反射率算出手段と、
観察照明光の下で色票を撮影する入力装置と、
前記展開係数データと、前記入力装置により撮影された前記色票の色票撮影データと、前記入力装置の分光感度データと、前記色票の分光反射率分布を示す色票分光反射率データと、等色関数データとに基づいて、前記観察照明光の下での前記被写体の三刺激値を算出する三刺激値算出手段と、
前記三刺激値に基づいて出力カラー画像信号を算出するカラー画像信号算出手段と、
前記出力カラー画像信号を受けてカラー画像を出力するカラー画像出力手段と、
を備えることを特徴とする色再現システム。
【請求項４】
前記三刺激値算出手段は、
前記被写体の分光反射率と前記等色関数データの積と、前記色票分光反射率データと前記入力装置の分光感度データの積との関係より求められるマトリクスを前記色票撮影データに乗じることにより、前記三刺激値を算出することを特徴とする請求項１乃至３のいずれか１つに記載の色再現システム。
【請求項５】
前記三刺激値算出手段は、
前記被写体の分光反射率の複数の基底関数と前記等色関数データの積と、前記色票分光反射率データと前記入力装置の分光感度データの積との関係より求められるマトリクスを前記色票撮影データに乗じることにより求められた基底関数三刺激値の線形和として前記三刺激値を求めることを特徴とする請求項１乃至３のいずれか１つに記載の色再現システム。
【手続補正２】
【補正対象書類名】明細書
【補正対象項目名】０００８
【補正方法】変更
【補正の内容】
【０００８】
【課題を解決するための手段】
上記の課題を解決するため、本発明は被写体の分光反射率に対応した観察照明光の下での三刺激値を算出する三刺激値算出手段と、前記三刺激値に基づいて出力カラー画像信号を算出するカラー画像信号算出手段と、前記出力カラー画像信号を受けてカラー画像を出力するカラー画像出力手段とを備える色再現システムにおいて、前記三刺激値算出手段は、複数の単位色票からなる色票の色票分光反射率データと、該色票を観察照明光の下で入力装置により撮影して得られた色票撮影データと、該入力装置の分光感度データと、等色関数データとを用いて、前記三刺激値を算出することを特徴とする。
【手続補正３】
【補正対象書類名】明細書
【補正対象項目名】００１０
【補正方法】変更
【補正の内容】
【００１０】
また、上記の課題を解決するため、本発明は撮影照明光の下で被写体を撮影する撮影手段と、前記撮影手段の分光感度データと前記撮影照明光のスペクトルデータと前記被写体の分光反射率の統計データとに基づいて前記撮影手段によって撮影された被写体の画像の各画素に対応した分光反射率を算出し、前記分光反射率の分布に対応した分光反射率画像データを出力する分光反射率算出手段と、観察照明光の下で色票を撮影する入力装置と、前記分光反射率画像データと、前記入力装置により撮影された前記色票の色票撮影データと、前記入力装置の分光感度データと、前記色票の分光反射率分布を示す色票分光反射率データと、等色関数データとに基づいて、前記観察照明光の下での前記被写体の三刺激値を算出する三刺激値算出手段と、前記三刺激値に基づいて出力カラー画像信号を算出するカラー画像信号算出手段と、前記出力カラー画像信号を受けてカラー画像を出力するカラー画像出力手段とを備えることを特徴とする。
このような構成により、本発明では、撮影照明光の下で被写体を撮影する撮影手段と、撮影手段によって撮影された被写体の画像の各画素に対応した分光反射率の分布に対応した分光反射率画像データを出力する分光反射率算出手段と、分光反射率が既知の色票と、これを撮影する分光感度が既知の入力装置とを用いることにより、被写体の分光反射率に対応した観察照明光の下での三刺激値を求めることができる。すなわち、分光光度計等の測定器を用いることなく、分光反射率画像データを観察照明光下における三刺激値であるＸＹＺ画像データに変換することができる。
【手続補正４】
【補正対象書類名】明細書
【補正対象項目名】００１１
【補正方法】変更
【補正の内容】
【００１１】
また、上記の課題を解決するため、本発明は撮影照明光の下で被写体を撮影する撮影手段と、前記撮影手段の分光感度データと前記撮影照明光のスペクトルデータと前記被写体の分光反射率の統計データとに基づいて前記被写体の分光反射率を基底関数の線形和として表した展開係数データを出力する分光反射率算出手段と、観察照明光の下で色票を撮影する入力装置と、前記展開係数データと、前記入力装置により撮影された前記色票の色票撮影データと、前記入力装置の分光感度データと、前記色票の分光反射率分布を示す色票分光反射率データと、等色関数データとに基づいて、前記観察照明光の下での前記被写体の三刺激値を算出する三刺激値算出手段と、前記三刺激値に基づいて出力カラー画像信号を算出するカラー画像信号算出手段と、前記出力カラー画像信号を受けてカラー画像を出力するカラー画像出力手段とを備えることを特徴とする。
このような構成により、本発明では、撮影照明光の下で被写体を撮影する撮影手段と、撮影手段の分光感度データと撮影照明光のスペクトルデータと被写体の分光反射率の統計データとに基づいて展開係数データを出力する分光反射率算出手段と、分光反射率が既知の色票と、これを撮影する分光感度が既知の入力装置とを用いることにより、被写体の分光反射率に対応した観察照明光の下での三刺激値を求めることができる。すなわち、分光光度計等の測定器を用いることなく、分光反射率画像データを観察照明光下における三刺激値であるＸＹＺ画像データに変換することができる。
【手続補正５】
【補正対象書類名】明細書
【補正対象項目名】００１２
【補正方法】変更
【補正の内容】
【００１２】
一つの態様によると、前記三刺激値算出手段は、前記被写体の分光反射率と前記等色関数データの積と、前記色票分光反射率データと前記入力装置の分光感度データの積との関係より求められるマトリクスを前記色票撮影データに乗じることにより、前記三刺激値を算出することを特徴とする。
【手続補正６】
【補正対象書類名】明細書
【補正対象項目名】００１３
【補正方法】変更
【補正の内容】
【００１３】
このようにすると、被写体の分光反射率と等色関数データの積を色票の分光反射率データと色票を撮影する入力装置の分光感度データの積により展開可能である場合には、非常に正確に分光反射率画像データを観察照明光下における三刺激値であるＸＹＺ画像データに変換することが可能となる。
また、上記展開が不可能な場合でも、被写体の分光反射率に応じて使用する色票とこれを撮影するための入力装置の特性を変えることによって、展開精度を高めることで高精度な変換が可能となる。
【手続補正７】
【補正対象書類名】明細書
【補正対象項目名】００１４
【補正方法】変更
【補正の内容】
【００１４】
他の態様によると、前記三刺激値算出手段は、前記被写体の分光反射率の複数の基底関数と前記等色関数データの積と、前記色票分光反射率データと前記入力装置の分光感度データの積との関係より求められるマトリクスを前記色票撮影データに乗じることにより求められた基底関数三刺激値の線形和として前記三刺激値を求めることを特徴とする。
【手続補正８】
【補正対象書類名】明細書
【補正対象項目名】００１５
【補正方法】変更
【補正の内容】
【００１５】
このようにすると、被写体の分光反射率の複数の基底関数と等色関数データの積を色票の分光反射率データと色票を撮影する入力装置の分光感度データの積により展開可能である場合には、非常に正確に分光反射率画像データを観察照明光下における三刺激値であるＸＹＺ画像データに変換することができる。
また、上記展開が不可能な場合でも、被写体の分光反射率の基底関数に応じて使用する色票とこれを撮影するための入力装置の特性を変えることによって、展開精度を高めることで高精度な変換を行うことができる。
【手続補正９】
【補正対象書類名】明細書
【補正対象項目名】００５６
【補正方法】変更
【補正の内容】
【００５６】
分光反射率算出装置１４は、ディジタルカメラ３からのＲＧＢ画像データを入力して、ディジタルカメラ３の分光感度データと撮影照明光のスペクトルデータと被写体１の分光反射率の統計データおよび等色関数データを用いて、被写体１の分光反射率を基底関数の線形和として表した場合の展開係数データＫを出力する。この展開係数データＫは、三刺激値算出装置１５に入力される。三刺激値算出装置１５には、複数の単位色票からなる色票６が観察照明７による観察照明光の下で入力装置である第２のディジタルカメラ８によって撮影されることによりディジタルカメラ８から出力される色票６に対応した色票画像データＰ’も入力される。